(57)【特許請求の範囲】
【請求項１】
時計としての機能を有するムーブメントの部品を支持する支持基板と、前記ムーブメントを内部に収納するケースと、前記ケースの外部から前記ムーブメントの操作を行うための外部操作部材と、前記ケースおよび前記外部操作部材の間に介装されて防水性を確保するシール部材と、前記外部操作部材と係合し当該外部操作部材の操作により駆動されるクリックレバーと、このクリックレバーを前記外部操作部材に向かって押圧する押圧手段とを備えている電子時計であって、
前記支持基板および前記シール部材が電気絶縁体からなるとともに、前記ケース、前記外部操作部材、前記クリックレバーおよび前記押圧手段が導電体からなり、前記ケースおよび前記押圧手段とを電気的に導通させる導通手段が設けられており、
前記押圧手段からＩＣまでの導通経路は、前記押圧手段から前記導通手段の前記ケースとの接点部までの導通経路よりも長いことを特徴とする電子時計。
【請求項２】
請求項１に記載の電子時計において、前記導通手段は、少なくとも一部分が弾性変形可能となっていることを特徴とする電子時計。
【請求項３】
請求項１または請求項２に記載の電子時計において、前記導通手段は、ＩＣよりも前記ケースの内壁に近い位置に配置されていることを特徴とする電子時計。
【請求項４】
請求項１ないし請求項３のいずれかに記載の電子時計において、前記導通手段が複数設けられていることを特徴とする電子時計。
【請求項５】
請求項１ないし請求項４のいずれかに記載の電子時計において、前記ムーブメントには、電子回路の各部品の位置を保持するために、導電体からなる回路押さえ板が設けられ、この回路押さえ板には、前記押圧手段および前記導通手段が一体成形されていることを特徴とする電子時計。
【請求項６】
請求項１ないし請求項５のいずれかに記載の電子時計において、前記ムーブメントには、電子回路の各部品の位置を保持するために、導電体からなる回路押さえ板が設けられ、この回路押さえ板には、前記押圧手段が一体成形されているとともに、前記回路押さえ板と別体に形成された前記導通手段が取り付けられていることを特徴とする電子時計。
【発明の詳細な説明】
【０００１】
【発明の属する技術分野】
本発明は、ＩＣ等の電子部品により時計としての機能を確保している電子時計に関する。
【０００２】
【背景技術】
従来より、水晶振動子、トランジスタ、ＩＣおよびＬＳＩ等の電気素子を備えた電子回路で計時する電子時計が利用さている。このような電子時計にも、機械式の時計と同様に、時刻合わせ等の操作を行うために、竜頭および押しボタン等の外部操作手段が設けられている。
また、今日では、電子時計の多機能化が推進され、ラジオ、デジタルカメラおよびコンピュータが電子時計に組み込まれたものが開発されている。このような多機能化された電子時計には、外部機器からのプラグが差し込み可能となった外部接続端子が設けられている。
【０００３】
そして、消費電力を少なくするために、上述のような電子時計には、主要電気素子として、ＭＯＳ構造の小型の電気素子が採用されている。
このため、電子時計は、静電気の影響をより受けやすく、外部接続端子にプラグを差し込む際、あるいは、外部操作手段を手動操作する際に、外部接続端子や外部操作手段を通じて内部に進入した静電気がＩＣに到達すると、静電気によってＩＣが誤動作するおそれがある。
【０００４】
そこで、実願昭５９−１６５５６０号（実開昭６１−８０４８９号）のマイクロフィルムには、プラグと接触する電極の一部分を、時計の金属製ケースに接触させ、当該電極を金属製ケースへ電荷を逃がす導通部材とし、プラグが外部接続端子に接触する際に、プラグに帯電した静電気を金属製ケースへ逃がすようにし、外部接続端子を通じて静電気が内部に進入しても、静電気がＩＣに到達しないようにした電子時計が示されている。
【０００５】
また、特開平９−１７８８６７号公報には、外部操作手段である竜頭を支持する巻真、および、時計の金属製ケースの両方に接触する導電板を設け、この導電板を、金属製ケースへ電荷を逃がす導通部材とし、竜頭を回転操作する際に、人体や衣服に帯電した静電気を金属製ケースへ逃がし、竜頭を通じて静電気が内部に進入しても、静電気がＩＣに到達しないようにした電子時計が示されている。
【０００６】
【発明が解決しようとする課題】
上述のような電子時計では、導通部材の固定手段として、ねじ止め、半田および接着剤が用いられているので、メンテナンスや修理の際に、電子時計を分解あるいは組立を行うにあたり、ねじ止めの場合には、ねじを緩める作業と締める作業が必要となり、半田の場合には、半田を溶かす作業および再度半田付けする作業が必要となり、接着剤の場合には、導通部材を強制的に引き剥がす等、大きな力を要する作業および時間のかかる再接着作業が必要となる。
このため、いずれの固定手段にしろ、導通部材の取り外しおよび取り付けが面倒となり、電子時計の分解・組立に時間がかかるという問題がある。
【０００７】
特に、メンテナンスや修理の際に、取り外す頻度が高い竜頭および巻真が外部操作手段として設けられている場合には、導通部材の弾性により、当該導通部材が巻真に密着している場合には、導通部材を取り外さないと、巻真の取り外しが行えないので、メンテナンスや修理に時間がかかるという問題がある。
また、導通部材を、その初期たわみによる弾性力で、外部操作部材に弾着させる構造を採用すると、複雑な形状を有する外部操作部材の場合、特に、アナログ電子時計の時刻を修正する、複雑な形状の巻真が外部操作部材となる場合、外部操作部材が導通部材に係止されるため、外部操作部材の着脱が非常に困難となるという問題がある。
【０００８】
本発明の目的は、静電気による誤動作を防止するようにしても、分解および組立が容易に行える電子時計を提供することにある。
【０００９】
【課題を解決するための手段】
本発明は、時計としての機能を有するムーブメントの部品を支持する支持基板と、前記ムーブメントを内部に収納するケースと、前記ケースの外部から前記ムーブメントの操作を行うための外部操作部材と、前記ケースおよび前記外部操作部材の間に介装されて防水性を確保するシール部材と、前記外部操作部材と係合し当該外部操作部材の操作により駆動されるクリックレバーと、このクリックレバーを前記外部操作部材に向かって押圧する押圧手段とを備えている電子時計であって、前記支持基板および前記シール部材が電気絶縁体からなるとともに、前記ケース、前記外部操作部材、前記クリックレバーおよび前記押圧手段が導電体からなり、前記ケースおよび前記押圧手段とを電気的に導通させる導通手段が設けられており、前記押圧手段からＩＣまでの導通経路は、前記押圧手段から前記導通手段の前記ケースとの接点部までの導通経路よりも長いことを特徴とする。
【００１０】
このような本発明では、人体や衣服に帯電した静電気が外部操作部材を通じて内部に進入しても、当該静電気は、クリックレバー、押圧手段および導通手段を通って、導電性を有するケースに逃げるので、ムーブメントに設けられた電子回路には静電気が到達せず、静電気による誤動作が防止される。さらに、前記押圧手段からＩＣまでの導通経路は、前記押圧手段から前記導通手段の前記ケースとの接点部までの導通経路よりも長く構成することによって、静電気のＩＣへの到達が一層有効に回避され、静電気による誤動作の防止がより確実となる。
また、導通手段は、押圧手段と係合していればよく、分解・組立時に外部操作部材とは干渉しない位置に設置することができるので、導通部材を設けても、外部操作部材の取り外しおよび取り付けが容易に行え、電子時計の分解・組立に時間がかからず、ひいては、メンテナンスや修理に要する時間が短縮される。
さらに、ムーブメントには、電子回路の各部品の位置を保持するためにムーブメントに設けられている、導電体からなる回路押さえ板に導通手段を一体成形することが可能なので、回路押さえ板に一体成形すれば、導通手段を設けても、電子時計を構成する部品の数が増えない。このため、導通手段が設けられた電子時計は、それ自体の構造を変更する必要がないうえ、組立工数を何ら変更することなく、製造コストを増大させることなく製造が行える。
【００１１】
以上のような電子時計において、前記導通手段は、少なくとも一部分が弾性変形可能となっていることが望ましい。
このように導通手段に弾性を設ければ、それ自身の弾性によるばね力で、導通手段がケースに密着し、導通手段とケースとの電気的な導通が確保されるようになり、導通手段をケースに半田等で固定する必要がなく、電子時計の分解・組立が迅速に行えるようになり、この点からも、メンテナンスや修理に要する時間が短縮される。
【００１２】
また、前述のような電子時計において、前記導通手段は、ＩＣよりも前記ケースの内壁に近い位置に配置されていることが好ましい。
このように導通手段およびＩＣを配置すれば、静電気が外部操作部材からケースまで到達するまでに、静電気は、最短の導通経路を通るので、ＩＣを経由する導通路が形成されることがなくなり、静電気のＩＣへの到達が一層有効に回避され、静電気による誤動作の防止がより確実となる。
【００１３】
また、導通手段を裏蓋とケースの内壁のどちらか一方あるいは両方に導通させることができ、確実に外装へ静電気を逃がすことができる。
【００１５】
さらに、前述の電子時計において、前記導通手段が複数設けられていることが望ましい。
このように導通手段を複数設ければ、外部操作部材からケースに至る、静電気の導通経路の電気抵抗が低減されるので、高圧の静電気が外部操作部材に印加されても、ＩＣに到達させることなく、静電気をケースに逃がすことが可能となり、この点からも、静電気のＩＣへの到達が一層有効に回避され、静電気による誤動作の防止がより確実となる。
【００１６】
また、前述のような電子時計において、前記ムーブメントに、電子回路の各部品の位置を保持するために、導電体からなる回路押さえ板が設けられている場合には、この回路押さえ板に、前記押圧手段および前記導通手段の両方を一体成形してもよく、あるいは、回路押さえ板に、前記押圧手段を一体成形するとともに、前記回路押さえ板と別体に形成された前記導通手段を、前記回路押さえ板にねじ止め等で取り付けてもよい。
前述のように、前記押圧手段および前記導通手段の両方を回路押さえ板に一体成形すれば、導通手段を設けても、電子時計を構成する部品の数が増えないので、導通手段が設けられた電子時計は、それ自体の構造を変更する必要がないうえ、組立工数を何ら変更することなく、製造コストを増大させることなく製造が行える。
一方、回路押さえ板と別体に形成された導通手段を、ねじ止め等で回路押さえ板に取り付けるようにすれば、導通手段が設けられていない回路押さえ板が多数製作済であっても、回路押さえ板の設計を大幅に変更することなく、回路押さえ板に導通手段を設けることが可能となるので、導通手段が設けられた電子時計は、その組立工程を大幅に変更する必要がなく、製造にあたり、製造コストを著しく増大させることがない。
【００１７】
【発明の実施の形態】
以下、本発明の実施の一形態を図面に基づいて説明する。
図１および図２には、本実施形態に係る電子時計である腕時計１が示されている。この腕時計１は、後述する電子部品が設けられたムーブメント２をケース２８の内部に収納したものであり、ムーブメント２で時刻等を示す複数の指針２１〜２７を駆動するアナログ式のものである。
図１において、腕時計１は、通常の時刻表示を行う通常時刻表示用指針としての時針２１、分針２２、小秒針２３を備えている。小秒針２３は、腕時計１の中心軸に対し文字板２０の９時方向にずれた位置に配置されている。
【００１８】
そして、ムーブメント２を内部に収納するケース２８は、文字板２０の裏側の裏蓋と、文字板２０の周縁の胴であり、導電性を有する材料から形成されている。ここで、ケース２８の胴は、ムーブメント２の外周縁を囲む内壁となっている。
さらに、腕時計１には、外部操作部材である竜頭３、Ａボタン３ＡおよびＢボタン３Ｂが設けられている。
このうち、竜頭３は、当該竜頭３とともに外部操作部材を形成する巻真４３に固定されている。竜頭３および巻真４３は、導電性を有する材料から形成されたものである。このうち、巻真４３は、ケース２８の内部に挿通されている。
【００１９】
巻真４３およびケース２  ８との間には、ケース２８の防水性を確保するために、シール部材としてのパッキン２９が介装されている。このパッキン２９は、電気を導通させない電気絶縁体から形成されている。
ここで、ケース２８、竜頭３および巻真４３としては、ステンレス、金およびチタン材等の金属製のものが採用されている。また、パッキン２９の材質としては、合成樹脂エラストマやプラスチック等の弾性を有する電気絶縁体が採用されている。
【００２０】
この腕時計１には、付加機能として、経過時間を表示するクロノグラフ機能と、設定した時刻にアラームを鳴音させるアラーム機能とが設けられている。
すなわち、腕時計１には、付加機能表示用指針として、前記時針２１、分針２２と同軸上に配置され、１／５秒刻みのクロノグラフ秒表示を行う１／５秒クロノグラフ針（以下「１／５秒ＣＧ針」という）２４と、時計１の中心軸に対し１２時方向にずれた位置に配置され、１分刻みのクロノグラフ分表示を行う分クロノグラフ針（以下「分ＣＧ針」という）２５とが設けられている。
【００２１】
また、腕時計１には、付加機能表示用指針として、時計１の中心軸に対し６時方向にずれた位置に配置されたアラーム時針２６およびアラーム分針２７が設けられている。
【００２２】
図２において、ムーブメント２は、真円から図中左右の部分を切り欠くことにより形成されたサイドカット部２Ａを有する平面形状とされたものである。ムーブメント２には、各指針２１〜２７を駆動するために、４つのステップモータ５〜８が設けられている。
すなわち、前記時針２１、分針２２および小秒針２３は、通常時刻駆動用ステップモータ５で駆動され、１／５秒ＣＧ針２４は、１／５秒クロノグラフ用ステップモータ６で駆動され、分ＣＧ針２５は、分クロノグラフ用ステップモータ７で駆動され、アラーム分針２７およびこれに連動するアラーム時針２６は、アラーム用ステップモータ８で駆動される。
従って、モータ５により通常時刻駆動用モータが構成され、モータ６〜８により付加機能駆動用モータが構成されている。
【００２３】
各ステップモータ５〜８は、回転磁界により回転駆動されるロータ１３と、このロータ１３が配置されるステータ孔を有するステータ１４と、このステータ１４の端部が接続されるとともに、コイル１５が巻回されるコア１６とを備えている。
各ロータ１３は、樹脂に磁石をインサート成形することで形成され、ロータかなおよび異方性磁石からなるロータ磁石を備えて構成されている。このロータ１３は、その両端部に突出するほぞ部分で図示しない地板および輪列受に支持されている。なお、各ロータ１３は、内蔵電池１８で作動される駆動回路からの駆動パルスを、コイル１５に流すことによって所定の回転周期で回転する。
【００２４】
通常時刻駆動用ステップモータ５のロータ１３には、輪列５０を構成する五番車５４が噛み合っており、これにより、ロータ１３の回転が輪列５０に伝達されるようになっている。
つまり、前述のロータ１３の回転は、五番車５４、四番車５３、三番車５２、二番車５１、日の裏車５６、筒車（図示略）からなる輪列５０を介して減速されて伝達される。この伝達された回転によって、二番車５１に嵌装されている分針２２および筒車に嵌装されている時針２１が駆動されるようになっている。
【００２５】
一方、ロータ１３の回転は、五番車５４を介して小秒車５５にも減速されて伝達され、これにより、当該小秒車５５に取り付けられている秒針２３が駆動されるようになっている。
【００２６】
また、１／５秒クロノグラフ用ステップモータ６のロータ１３には、輪列６０を構成する１／５秒クロノグラフ第１中間車６１が噛み合っており、これにより、ロータ１３の回転が輪列６０に伝達されるようになっている。
つまり、このロータ１３の回転は、１／５秒クロノグラフ第１中間車６１、１／５秒クロノグラフ第２中間車６２、および、１／５秒クロノグラフ車６３からなる輪列６０に減速されて伝達される。この伝達された回転によって、１／５秒クロノグラフ車６３に嵌装されている１／５秒ＣＧ針２４が駆動するようになっている。この１／５秒ＣＧ針２４は、６０秒で一回転するように設定されている。
ここで、１／５秒クロノグラフ車６３は、二番車５１と同軸配置されている。そして、時針２１、分針２２および１／５秒ＣＧ針２４は、同軸配置されている。
【００２７】
さらに、分クロノグラフ用ステップモータ７のロータ１３には、輪列７０を構成する分クロノグラフ中間車７１が噛み合っており、これにより、ロータ１３の回転が輪列７０に伝達されるようになっている。
つまり、このロータ１３の回転は、分クロノグラフ中間車７１および分クロノグラフ車７２からなる輪列７０に減速されて伝達される。この伝達された回転によって、分クロノグラフ車７２に嵌装されている分ＣＧ針２５が駆動するようになっている。ここで、分ＣＧ針２５は、３０分で一回転するように設定されている。
【００２８】
アラーム用ステップモータ８のロータ１３には、輪列８０を構成するアラーム中間車８１が噛み合っており、これにより、ロータ１３の回転が輪列８０に伝達されるようになっている。
つまり、このロータ１３の回転は、アラーム中間車８１およびアラーム分車８２、アラーム日の裏車８３、アラーム筒車（図示略）からなる輪列８０に減速されて伝達される。この伝達された回転によって、アラーム時針２６、アラーム分針２７が駆動されるようになっている。
【００２９】
ここで、各ステップモータ５〜８の各端部を近接する他のステップモータ５〜８の各端部と結び、さらに各ステップモータ５〜８のコア１６を通る閉じた領域区分線１００  を設定し、時計１の平面をその領域区分線１００  の内側である内側領域１０１  と、外側である外側領域１０２  とに区分けした際に、前記各輪列５０〜８０は内側領域１０１  に配置され、時計の平面形状に応じた形状に形成された支持基板としての地板１Ａに支持されている。この地板１Ａは、電気を殆ど導通させない合成樹脂等から形成されている。
なお、ステップモータ５〜８の各端部とは、本実施形態では、平面位置において、コア１６およびステータ１４を連結する連結ピン部分である。
【００３０】
また、外側領域１０２  には、電気素子であるＣ−ＭＯＳ構造の小型ＩＣ９１、水晶振動子９２、電池保護用コンデンサ９３、アラーム用昇圧コイル９４、および、アラーム用トランジスタ９５が配置されている。これらの各電気素子は、図示しないフレキシブルプリント基板に装着されている。
【００３１】
さらに、外側領域１０２  には、前記Ａボタン３Ａ、Ｂボタン３Ｂによって作動されるスイッチレバー４１，４２、巻真４３と係合するクリックレバーとしてのオシドリ４５、および、カンヌキ４６等が配置されている。なお、オシドリ４５は、巻真４３の摺動操作により回動されるものである。そして、巻真４３を介して時刻修正する歯車として、つづみ車、小鉄車などが設けられている。
【００３２】
また、電池１８は、その平面における大部分が外側領域１０２  に位置するように配置されている。具体的には、電池１８は、外側領域１０２  において巻真４３およびステップモータ７で囲まれたスペース１１１  に配置されている。
さらに、巻真４３を挟んで電池１８の反対側であって、外側領域１０２  において巻真４３およびステップモータ８で囲まれたスペース１１２  に、ＩＣ９１、カンヌキ４６、スイッチレバー４２が配置されている。このため、ＩＣ９１は、スイッチレバー４２やカンヌキ４６に平面位置が重なるように配置されている。
【００３３】
各ステップモータ５〜８のうち、通常時刻駆動用ステップモータ５と、１／５秒クロノグラフ用ステップモータ６とは、地板１Ａ上において、巻真４３の反対側の端部側（文字板２０における９時位置）に配置されている。
そして、これらの各モータ５，６は、その各コア１６の延長線の交差角度が約６０度程度となるような向きに配置されている。すなわち、各ステップモータ５，６は、一端側を地板１Ａの外周端に近接して配置し、他端側を地板１Ａの外周端から内側に離れて配置している。
【００３４】
また、各ステップモータ５〜８のうち、分クロノグラフ用ステップモータ７およびアラーム用ステップモータ８は、駆動する指針２５〜２７が他の指針２１〜２４に比べて短く、ステップモータ５，６に比べて出力トルクが小さくてよいため、コイル１５の巻数を少なくでき、コア１６の長さも短くされている。
この長さ寸法の短い各ステップモータ７，８は、前記電池１８やＩＣ９１にほぼ隣接して配置されており、文字板２０において１２時および６時位置に、かつ地板１Ａの外周端に沿って配置されている。従って、各ステップモータ５〜８は、３時−９時を結ぶ線を挟んでほぼ上下対象に配置されている。
【００３５】
各ステップモータ５〜８がこのように配置されているため、ステップモータ５の外周側およびステップモータ６の外周側にスペース１１３，  １１４が確保されている。このうち、一方のスペース１１３  に、水晶振動子９２および電池保護用コンデンサ９３が配置され、他方のスペース１１４  に、アラーム用昇圧コイル９４およびアラーム用トランジスタ９５が分散配置されている。
これにより、ムーブメント２には、モータ５〜８や各輪列５０〜８０以外の主な部品である電気素子、スイッチレバー４１，４２，カンヌキ４６および電池１８が、モータ５〜８の外周側に形成される外側領域１０２  に分散して設けられたスペース１１１  〜１１４  の各々に、分散されて配置されている。これにより、重量バランスやレイアウト的なバランスなどが向上されている。
【００３６】
このようなムーブメント２には、電子回路の各部品の位置を保持するために、ステンレス等の導電体からなる回路押さえ板１２０  が設けられている。
回路押さえ板１２０  は、ＩＣ９１の静電遮蔽材、ＩＣ９１に紫外線および赤外線が照射されないようにする遮光材、モータ５〜８の耐磁シールド部材、および、電子回路の各部品の位置を保持する保持部材を兼用している。
【００３７】
なお、回路押さえ板１２０  には、電池１８の正極が接続され、ムーブメント２の電子回路に対して、電池１８の正極が基準電圧となるグランドとなっている。
【００３８】
また、回路押さえ板１２０  は、図３に示されるように、ムーブメント２に応じた平面形状を有する部材であり、モータ５〜８、電池１８および水晶振動子９２の各々に応じた孔１２５，１２６および切り欠き部１２７，  １２８，  １１８，  １９２を備え、これら一連の部品５〜８，１８，９２を逃がすことによって、ムーブメント２の薄型化を実現している。
また、回路押さえ板１２０  には、押圧手段としての押圧部１３０  と、導通手段としての導通部１４０  とが一体成形されている。
【００３９】
ここで、回路押さえ板１２０  には、ムーブメント２のオシドリ４５の位置に応じ
て孔１３１  が設けられている。押圧部１３０  は、孔１３１  の内側へ突き出るように形成されたものであり、図４および図５に示されるように、オシドリ４５の係合部４５Ａ  を巻真４３の縮径部４３Ａ  に向かって押圧し、オシドリ４５と巻真４３との係合を維持するものとなっている。
なお、オシドリ４５と巻真４３との係合を解除するために、回路押さえ板１２０に設けられた孔１３１から工具を挿入して、オシドリ４５と巻真４３との係合を解除すると、巻真４３がムーブメント２から容易に取り外せるようになっている。
【００４０】
導通部１４０  は、押圧部１３０  と一体に成形されるとともに、全体が弾性変形可能となっているものとなっている。導通部１４０  の先端部１４０Ａは、その弾性力によりケース２８に充分強く接触している。また、導通部１４０  は、図５（Ｂ）に示されるように、回路押さえ板１２０  から巻真４３とは離れる方向に延びている。
これにより、押圧部１３０  とケース２８とが電気的に導通し、竜頭３から巻真４３を通して進入した静電気は、オシドリ４５、押圧部１３０  、導通部１４０  およびケース２８を経由する導通経路１５０  （図５参照）を通って、ケース２８の内部から排除されるようになっている。
【００４１】
ここで、導通部１４０  は、ＩＣ９１よりも、ケース２８の胴に近い位置に配置されている。換言すると、図４の如く、ムーブメント２には、巻真４３を挿入させる開口１４１  が設けられている。この開口１４１  と導通部１４０との距離は、ＩＣ９１と開口１４１との距離よりも短くなっている。
【００４２】
このような本実施形態では、分解を行うにあたり、回路押さえ板１２０に設けられた孔１３１から工具を挿入して、オシドリ４５と巻真４３との係合を解除すれば、図５（Ｂ）の如く、巻真４３に引っかかるものが何もないので、巻真４３の抜き取りが容易に行える。
このため、ムーブメント２から竜頭３とともに巻真４３を容易に取り外せる。
【００４３】
前述のような本実施形態によれば、次のような効果が得られる。
すなわち、人体や衣服に帯電した静電気が巻真４３を通じて内部に進入しても、当該静電気は、オシドリ４５、押圧部１３０  および導通部１４０  を通って、導電性を有するケース２８に逃げるので、ムーブメント２に設けられたＩＣ９１には静電気が到達せず、静電気による誤動作を防止することができる。
また、分解・組立時に巻真４３と干渉しない位置に導通部１４０  を設置したので、導通部１４０  を設けても、巻真４３の取り外しおよび取り付けが容易に行え、腕時計１の分解・組立に時間がかからず、ひいては、メンテナンスや修理に要する時間を短縮できる。
さらに、ムーブメント２に設けられた回路押さえ板１２０  に導通部１４０  を一体成形したので、導通部１４０  により、腕時計１を構成する部品の数が増えず、導通部１４０  を設けても、腕時計１の構造を変更する必要がないうえ、組立工数を何ら変更することなく、製造コストを増大させることなく、静電気に対する耐久性に優れた腕時計１を製造できる。
【００４４】
さらに、導通部１４０  全体を弾性変形可能としたので、それ自身の弾性によるばね力で、導通部１４０  がケースに密着し、導通部１４０  とケース２８との電気的な導通が確保されるようになり、導通部１４０  をケース２８に半田等で固定する必要がなく、この点からも、腕時計１の分解・組立が迅速に行えるようになり、メンテナンスや修理に要する時間を短縮できる。
そのうえ、弾性変形可能となった導通部１４０  がムーブメント２とケース２８との間に介装されているので、衝撃がケース２８に加わっても、当該衝撃を導通部１４０  が吸収するようになるので、衝撃に対する耐久性に優れた腕時計１を得ることができる。
【００４５】
また、巻真４３を挿入するために、ムーブメント２に設けた開口１４１  と、導通部１４０  との距離を、開口１４１  とＩＣ９１との距離よりも短くし、導通部１４０  をＩＣ９１よりもケース２８の胴に近い位置に配置したので、静電気が巻真４３からケース２８まで達する導通経路１５０  がＩＣ９１を通らず、静電気のＩＣ９１への到達が確実に回避され、静電気による誤動作の防止をより有効なものとできる。
【００４６】
さらに、押圧部１３０  および導通部１４０  の両方を回路押さえ板１２０  に一体成形したので、腕時計１を構成する部品の数が増えないうえ、押圧部１３０  、導通部１４０  および回路押さえ板１２０  を導通する電流の電気抵抗が低減され、静電気に対する耐久性に優れた腕時計１を得ることができる。
【００４７】
以上、本発明について好適な実施形態を挙げて説明したが、本発明は、この実施形態に限られるものでなく、本発明の要旨を逸脱しない範囲において種々の改良並びに設計の変更が可能である。
例えば、ケースとしては、裏蓋と胴とに分割されたツーピースのものに限らず、裏蓋と胴とが一体成形されたにワンピースのものや、三個以上に分割されたものでもよい。
【００４８】
また、ムーブメントとしては、真円の一部を切り欠いた平面形状を有するものに限らず、楕円の一部を切り欠いた平面形状を有するものや、サイドカット部が複数形成されて多角形となったものでもよい。
【００４９】
さらに、支持基板としては、合成樹脂等の電気絶縁体からなる地板に限らず、合成樹脂等の電気絶縁体からなる基枠や、回路押さえ板が輪列受を兼用しない場合には、合成樹脂等の電気絶縁体からなる輪列受でもよい。
【００５０】
また、導通手段としては、回路押さえ板に一体成形されたものに限らず、図６に示されるように、回路押さえ板１２０とは別体に形成され、ねじ１４３  で回路押さえ板１２０に取り付けられる導通部１４２  でもよい。
【００５１】
ここで、導通部１４２  は、電子回路よりもケースの内壁に近い位置であって、ケースの内壁とムーブメントの隙間となる位置に配置されている。
このように、回路押さえ板１２０  と別体に形成された導通部１４２  を採用すれば、導通部１４２  がムーブメントの他の部品と干渉することがなく、かつ、導通部を備えていない通常の回路押さえ板１２０  に対し、回路押さえ板１２０  の設計を大幅に変更することなく、回路押さえ板１２０  に導通部１４２  を設けることができるので、静電気に対する耐久性を改善するために、通常の腕時計に導通部１４２  を付加する改良を行っても、その組立工程を大幅に変更する必要がなく、製造にあたり、製造コストを著しく増大させることがない。
【００５２】
さらに、回路押さえ板としては、導通手段として一個の導通部が設けられたものに限らず、図７に示されるように、複数の導通部１４０，  １４４，  １４５が導通手段として設けられた回路押さえ板１２０  でもよい。
このような回路押さえ板１２０  を採用すれば、巻真４３からケース２８まで到達する静電気の導通経路の電気抵抗が低減されるので、高圧の静電気が外部操作部材に印加されても、ＩＣ等の電子回路に静電気が到達することなく、静電気をケース２８に逃がすことが可能となり、この点からも、静電気の電子回路への到達が一層有効に回避され、静電気による誤動作の防止をより確実なものとできる。
【００５３】
また、導通手段の位置としては、電子回路よりもケースの内壁に近い位置に限らず、電子回路よりも押圧手段に近い位置でもよい。
例えば、図７において、導通手段としての導通部１４４  は、電子回路であるＩＣ９１よりもケースの内壁から遠い位置に配置されているが、ＩＣ９１よりも押圧手段である押圧部１３０  に近い位置に配置されている。このような導通部１４４  でも、単独で導通部１４０  と同様の機能を達成できる。
また、導通手段としては、電子回路よりもケースの内壁に近く、かつ、電子回路よりも押圧手段に近い位置に配置されたものでもよい。
例えば、図７において、導通手段としての導通部１４５  は、ＩＣ９１よりもケースの内壁に近く、かつ、ＩＣ９１よりも押圧部１３０  に近い位置に配置されている。このような導通部１４５  でも、単独で導通部１４０，  １４４と同様の機能を達成できる。
【００５４】
【発明の効果】
上述のように本発明によれば、電子時計の静電気による誤動作を防止できるうえ、電子時計の分解および組立も容易に行うことができる。
【図面の簡単な説明】
【図１】本発明の実施の一形態に係る腕時計を示す平面図である。
【図２】前記実施形態の腕時計のムーブメントを示す底面図である。
【図３】前記実施形態の回路押さえ板を示す底面図である。
【図４】前記実施形態に係るムーブメントの要部を示す拡大底面図である。
【図５】図４のＶＡ−ＶＡ線およびＶＢ−ＶＢ線における断面図である。
【図６】本発明の変形例を示す図３に相当する図である。
【図７】本発明の異なる変形例を示す図３に相当する図である。
【符号の説明】
１  電子時計としての腕時計
１Ａ  支持基板としての地板
２  ムーブメント
３  外部操作部材を形成する竜頭
２８  ケース
２９  シール部材としてのパッキン
４３  外部操作部材を形成する巻真
４５  クリックレバーとしてのオシドリ
９１  電子回路としてのＩＣ
１２０  回路押さえ板
１３０  押圧手段としての押圧部
１４０，１４２，１４４，１４５  導通手段として導通部
１４１  開口
【図１】
0003630098.tif 000002
【図２】
0003630098.tif 000003
【図３】
0003630098.tif 000004
【図４】
0003630098.tif 000005
【図５】
0003630098.tif 000006
【図６】
0003630098.tif 000007
【図７】
0003630098.tif 000008